(57)【要約】【目的】心疾患（冠動脈疾患）を高い精度で推定することができる心疾患検査装置を提供する。【解決手段】表示制御手段８６によって、段階判定手段８０により判定された生体の動脈波形に対応する心疾患の段階Ｈと振幅増加指数算出手段８２により算出されたその生体の動脈波形の振幅増加指数ＡＩとが表示器６０において同時に表示される。すなわち心疾患の段階Ｈと振幅増加指数ＡＩとを示す表示点ｘが表示される。このため、それら心疾患の段階Ｈと振幅増加指数ＡＩとの両方に基づいて冠動脈疾患が正確に推定（診断）することが可能となる。【選択図】                        図５
2004313274.tif 000002
【特許請求の範囲】
【請求項１】
生体から非侵襲で得られる動脈波形を用いて該生体の心疾患を検査するための心疾患検査装置であって、
前記心疾患の段階に対応する複数種類の基準波形を用いて前記生体から得られた動脈波形に対応する心疾患の段階を判定する段階判定手段と、
前記生体の動脈波形に含まれる進行波成分の振幅と反射波成分の振幅との間の振幅増加指数を算出する振幅増加指数算出手段と、
前記段階判定手段により判定された生体の動脈波形に対応する心疾患の段階と前記振幅増加指数算出手段により算出された該生体の動脈波形の振幅増加指数とを同時に表示する表示制御手段と
を、含むことを特徴とする心疾患検査装置。
【請求項２】
前記心疾患の段階を表す軸と前記振幅増加指数を表す軸とから成る二次元座標の表示領域を表示する表示器を備え、
前記表示制御手段は、該表示器の二次元座標の表示領域内において、前記段階判定手段により判定された生体の動脈波形に対応する心疾患の段階と前記振幅増加指数算出手段により算出された該生体の動脈波形の振幅増加指数とを示す場所を表示するものである請求項１の心疾患検査装置。
【請求項３】
前記二次元座標の表示領域内には、冠動脈疾患を示唆する領域が予め設けられているものである請求項２の心疾患検査装置。
【請求項４】
生体から非侵襲で得られる動脈波形を用いて該生体の心疾患を検査するための心疾患検査装置であって、
前記心疾患の段階に対応する複数種類の基準波形を用いて前記生体から得られた動脈波形に対応する心疾患の段階を判定する段階判定手段と、
前記生体の動脈波形に含まれる進行波成分の振幅と反射波成分の振幅との間の振幅増加指数を算出する振幅増加指数算出手段と、
前記段階判定手段により判定された生体の動脈波形に対応する心疾患の段階と前記振幅増加指数算出手段により算出された該生体の動脈波形の振幅増加指数とに基づいて冠動脈疾患を判定する心疾患判定手段と
を、含むことを特徴とする心疾患検査装置。
【請求項５】
前記段階判定手段により判定された生体の動脈波形に対応する心疾患の段階と、前記振幅増加指数算出手段により算出された該生体の動脈波形の振幅増加指数とを同時に表示する表示制御手段を、さらに含むものである請求項４の心疾患検査装置。
【請求項６】
前記心疾患の段階を表す軸と前記振幅増加指数を表す軸とから成る二次元座標の表示領域を表示する表示器を備え、
前記表示制御手段は、該表示器の二次元座標の表示領域内において、前記段階判定手段により判定された生体の動脈波形に対応する心疾患の段階と前記振幅増加指数算出手段により算出された該生体の動脈波形の振幅増加指数とを示す場所を表示するものである請求項５の心疾患検査装置。
【請求項７】
前記二次元座標の表示領域内には、冠動脈疾患を示唆する領域が予め設けられているものである請求項６の心疾患検査装置。
【請求項８】
生体から非侵襲で得られる動脈波形を用いて該生体の心疾患を検査するための心疾患検査装置であって、
前記生体の動脈波形に含まれる進行波成分に基づいて形成される第１ピークの振幅と反射波成分の振幅と該動脈波形に含まれる反射波成分に基づいて形成される第２ピークの間の振幅増加指数を算出する振幅増加指数算出手段と、
前記生体の動脈波形における第１ピークと第２ピークとの間の時間差を決定する時間差決定手段と、
前記振幅増加指数算出手段により算出された該生体の動脈波形の振幅増加指数と前記時間差決定手段により決定された前記生体の動脈波形における第１ピークと第２ピークとの間の時間差とを同時に表示する表示制御手段と
を、含むことを特徴とする心疾患検査装置。
【請求項９】
前記振幅増加指数を表す軸と前記時間差を表す軸とから成る二次元座標の表示領域を表示する表示器を備え、
前記表示制御手段は、該表示器の二次元座標の表示領域内において、前記振幅増加指数算出手段により算出された該生体の動脈波形の振幅増加指数と前記時間差決定手段により決定された時間差とを示す場所を表示するものである請求項８の心疾患検査装置。
【請求項１０】
前記二次元座標の表示領域内には、冠動脈疾患を示唆する領域が予め設けられているものである請求項９の心疾患検査装置。
【請求項１１】
生体から非侵襲で得られる動脈波形を用いて該生体の心疾患を検査するための心疾患検査装置であって、
前記生体の動脈波形に含まれる進行波成分の振幅と反射波成分の振幅との間の振幅増加指数を算出する振幅増加指数算出手段と、
前記生体の動脈波形における第１ピークと第２ピークとの間の時間差を決定する時間差決定手段と、
前記振幅増加指数算出手段により算出された該生体の動脈波形の振幅増加指数と前記時間差決定手段により決定された時間差とに基づいて冠動脈疾患を判定する心疾患判定手段と
を、含むことを特徴とする心疾患検査装置。
【請求項１２】
前記振幅増加指数算出手段により算出された該生体の動脈波形の振幅増加指数と、前記時間差決定手段により決定された前記生体の動脈波形における第１ピークと第２ピークとの間の時間差とを同時に表示する表示制御手段を、さらに含むものである請求項１１の心疾患検査装置。
【請求項１３】
前記心疾患の段階を表す軸と前記振幅増加指数を表す軸とから成る二次元座標の表示領域を表示する表示器を備え、
前記表示制御手段は、該表示器の二次元座標の表示領域内において、前記振幅増加指数算出手段により算出された該生体の動脈波形の振幅増加指数と前記時間差決定手段により決定された時間差とを示す場所を表示するものである請求項１２の心疾患検査装置。
【請求項１４】
前記二次元座標の表示領域内には、冠動脈疾患を示唆する領域が予め設けられているものである請求項１３の心疾患検査装置。
【発明の詳細な説明】
【０００１】
【産業上の利用分野】
本発明は、生体から非侵襲で得られる動脈波形を用いて該生体の心疾患を検査するための心疾患検査装置に関するものである。
【０００２】
【従来の技術】
生体の動脈内の圧脈波たとえば頸動脈波を採取し、その頸動脈波の形状に基づいて生体の心疾患を診断する試みが為されている。たとえば、非特許文献１の図１９には、心疾患の程度に段階的に関連する典型的な複数種類の基準動脈波形が記載されており、その複数種類の基準動脈波形を利用して、実際の動脈波形がそれら複数種類の基準動脈波形のいずれに近似しているかに基づいて心疾患を推定する心疾患推定装置が考えられる。
【０００３】
【非特許文献１】「エレクトロニクスの臨床（Ｎｏ．３５）別冊」第８巻第３号、カルエレクトロタイムス社、昭和５４年９月発行
【０００４】
【発明が解決しようとする課題】
しかしながら、上記のような心疾患推定装置によれば、生体から実際に採取された動脈波形が予め記憶された複数種類の基準動脈波形のいずれに近似しているかに基づいて心疾患を推定するのであるが、動脈波形の形状には種々の原因のばらつきが含まれるため、必ずしも十分な推定精度が得られないという問題があった。
【０００５】
本発明は以上の事情を背景として為されたものであって、その目的とするところは、心疾患を高い精度で推定することができる心疾患検査装置を提供することにある。
【０００６】
本発明者等は、以上の事情を背景として種々検討を重ねた結果、動脈波形は、進行波成分と反射波成分と合成であり、その反射波成分の大きさの増大や発生時期の早期化が収縮期内における心臓の負担を増加させるとともに、ダイクロティックウェーブの収縮期側への移行によって拡張期の冠動脈還流圧が低下する傾向となり、二重に心臓の負担が増大することになるという点を見いだした。また、上記反射波成分の大きさは、動脈波形において進行波成分に基づいて形成される第１のピークの振幅との反射波成分に基づいて形成される第２ピークの振幅との差の脈圧（最大振幅）に対する割合（％）である振幅増加指数ＡＩ（ａｕｇｍｅｎｔａｔｉｏｎ  ｉｎｄｅｘ）によって正確に対応づけられ得るので、大動脈近傍の動脈から検出された動脈波形から求められた振幅増加指数ＡＩは心臓の負荷を示す指標として用いることが可能である点を見いだした。本発明はかかる知見に基づいて為されたものである。
【０００７】
【課題を解決するための第１の手段】
すなわち、第１発明の要旨とするところは、生体から非侵襲で得られる動脈波形を用いてその生体の心疾患を検査するための心疾患検査装置であって、（ａ）  前記心疾患の段階に対応する複数種類の基準波形を用いて前記生体から得られた動脈波形に対応する心疾患の段階を判定する段階判定手段と、（ｂ）  前記生体の動脈波形に含まれる進行波成分の振幅と反射波成分の振幅との間の振幅増加指数を算出する振幅増加指数算出手段と、（ｃ）  前記段階判定手段により判定された生体の動脈波形に対応する心疾患の段階と前記振幅増加指数算出手段により算出された該生体の動脈波形の振幅増加指数とを同時に表示する表示制御手段とを、含むことにある。
【０００８】
【第１発明の効果】
このようにすれば、表示制御手段により、前記段階判定手段により判定された生体の動脈波形に対応する心疾患の段階と前記振幅増加指数算出手段により算出されたその生体の動脈波形の振幅増加指数とが表示器において同時に表示されることから、それら心疾患の段階と振幅増加指数との両方に基づいて冠動脈疾患が正確に推定（診断）することが可能となる。
【０００９】
【第１発明の他の態様】
ここで、好適には、前記心疾患の段階を表す軸と前記振幅増加指数を表す軸とから成る二次元座標の表示領域を表示する表示器を備え、前記表示制御手段は、該表示器の二次元座標の表示領域内において、前記段階判定手段により判定された生体の動脈波形に対応する心疾患の段階と前記振幅増加指数算出手段により算出されたその生体の動脈波形の振幅増加指数とを示す場所を表示するものである。このようにすれば、二次元座標の表示領域内に表示された表示場所は、前記段階判定手段により判定された生体の動脈波形に対応する心疾患の段階と前記振幅増加指数算出手段により算出されたその生体の動脈波形の振幅増加指数とを一挙に示すので、心疾患の段階と振幅増加指数との両方に基づいて冠動脈疾患が正確に推定（診断）することが容易に可能となる。
【００１０】
また、好適には、前記二次元座標の表示領域内には、冠動脈疾患を示唆する領域が予め設けられているものである。このようにすれば、二次元座標の表示領域内には冠動脈疾患を示唆する領域が予め設けられているので、その二次元座標の表示領域内に表示された表示場所をその領域と対比することにより、心疾患の段階と振幅増加指数との両方に基づいて冠動脈疾患が正確に推定（診断）することが一層容易に可能となる。
【００１１】
【課題を解決するための第２の手段】
また、前記目的を達成するための第２発明の要旨とするところは、生体から非侵襲で得られる動脈波形を用いて該生体の心疾患を検査するための心疾患検査装置であって、（ａ）  前記心疾患の段階に対応する複数種類の基準波形を用いて前記生体から得られた動脈波形に対応する心疾患の段階を判定する段階判定手段と、（ｂ）  前記生体の動脈波形に含まれる進行波成分の振幅と反射波成分の振幅との間の振幅増加指数を算出する振幅増加指数算出手段と、（ｃ）  前記段階判定手段により判定された生体の動脈波形に対応する心疾患の段階と前記振幅増加指数算出手段により算出された該生体の動脈波形の振幅増加指数とに基づいて冠動脈疾患を判定する心疾患判定手段とを、含むことにある。
【００１２】
【第２発明の効果】
このようにすれば、心疾患判定手段により、前記段階判定手段により判定された生体の動脈波形に対応する心疾患の段階と前記振幅増加指数算出手段により算出されたその生体の動脈波形の振幅増加指数とに基づいて冠動脈疾患が正確に判定される。
【００１３】
【第２発明の他の態様】
ここで、好適には、前記段階判定手段により判定された生体の動脈波形に対応する心疾患の段階と、前記振幅増加指数算出手段により算出された該生体の動脈波形の振幅増加指数とを同時に表示する表示制御手段を、さらに含むものである。このようにすれば、表示制御手段により、前記段階判定手段により判定された生体の動脈波形に対応する心疾患の段階と、前記振幅増加指数算出手段により算出されたその生体の動脈波形の振幅増加指数とが表示器において同時に表示されることから、それら心疾患の段階と振幅増加指数との両方に基づいて冠動脈疾患が正確に推定（診断）することも可能となる。
【００１４】
また、好適には、前記心疾患の段階を表す軸と前記振幅増加指数を表す軸とから成る二次元座標の表示領域を表示する表示器を備え、前記表示制御手段は、該表示器の二次元座標の表示領域内において、前記段階判定手段により判定された生体の動脈波形に対応する心疾患の段階と前記振幅増加指数算出手段により算出された該生体の動脈波形の振幅増加指数とを示す場所を表示するものである。このようにすれば、二次元座標の表示領域内に表示された表示場所は、前記段階判定手段により判定された生体の動脈波形に対応する心疾患の段階と前記振幅増加指数算出手段により算出されたその生体の動脈波形の振幅増加指数とを一挙に示すので、心疾患の段階と振幅増加指数との両方に基づいて冠動脈疾患が正確に推定（診断）することが容易に可能となる。
【００１５】
また、好適には、前記二次元座標の表示領域内には、冠動脈疾患を示唆する領域が予め設けられているものである。このようにすれば、二次元座標の表示領域内には冠動脈疾患を示唆する領域が予め設けられているので、その二次元座標の表示領域内に表示された表示場所をその領域と対比することにより、心疾患の段階と振幅増加指数との両方に基づいて冠動脈疾患が正確に推定（診断）することが一層容易に可能となる。
【００１６】
【課題を解決するための第３の手段】
また、前記目的を達成するための第３発明の要旨とするところは、生体から非侵襲で得られる動脈波形を用いて該生体の心疾患を検査するための心疾患検査装置であって、（ａ）  前記生体の動脈波形に含まれる進行波成分に基づいて形成される第１ピークの振幅と反射波成分の振幅と該動脈波形に含まれる反射波成分に基づいて形成される第２ピークの間の振幅増加指数を算出する振幅増加指数算出手段と、（ｂ）  前記生体の動脈波形における第１ピークと第２ピークとの間の時間差を決定する時間差決定手段と、（ｃ）  前記振幅増加指数算出手段により算出された該生体の動脈波形の振幅増加指数と前記時間差決定手段により決定された前記生体の動脈波形における第１ピークと第２ピークとの間の時間差とを同時に表示する表示制御手段とを、含むことにある。
【００１７】
【第３発明の効果】
このようにすれば、表示制御手段により、前記振幅増加指数算出手段により算出された該生体の動脈波形の振幅増加指数と前記時間差決定手段により決定された前記生体の動脈波形における第１ピークと第２ピークとの間の時間差とが表示器において同時に表示されることから、それら振幅増加指数と時間差との両方に基づいて冠動脈疾患が正確に推定（診断）することが可能となる。
【００１８】
【第３発明の他の態様】
ここで、好適には、前記振幅増加指数を表す軸と前記時間差を表す軸とから成る二次元座標の表示領域を表示する表示器を備え、前記表示制御手段は、該表示器の二次元座標の表示領域内において、前記振幅増加指数算出手段により算出された該生体の動脈波形の振幅増加指数と前記時間差決定手段により決定された時間差とを示す場所を表示するものである。このようにすれば、二次元座標の表示領域内に表示された表示場所は、前記振幅増加指数算出手段により算出されたその生体の動脈波形の振幅増加指数と前記時間差決定手段により決定された前記生体の動脈波形における第１ピークと第２ピークとの間の時間差とを一挙に示すので、振幅増加指数と時間差との両方に基づいて冠動脈疾患が正確に推定（診断）することが容易に可能となる。
【００１９】
また、好適には、前記二次元座標の表示領域内には、冠動脈疾患を示唆する領域が予め設けられているものである。このようにすれば、二次元座標の表示領域内には冠動脈疾患を示唆する領域が予め設けられているので、その二次元座標の表示領域内に表示された表示場所をその領域と対比することにより、振幅増加指数と時間差との両方に基づいて冠動脈疾患が正確に推定（診断）することが一層容易に可能となる。
【００２０】
【課題を解決するための第４の手段】
また、前記目的を達成するための第３発明の要旨とするところは、生体から非侵襲で得られる動脈波形を用いて該生体の心疾患を検査するための心疾患検査装置であって、（ａ）  前記生体の動脈波形に含まれる進行波成分の振幅と反射波成分の振幅との間の振幅増加指数を算出する振幅増加指数算出手段と、（ｂ）  前記生体の動脈波形における第１ピークと第２ピークとの間の時間差を決定する時間差決定手段と、（ｃ）  前記振幅増加指数算出手段により算出された該生体の動脈波形の振幅増加指数と前記時間差決定手段により決定された時間差とに基づいて冠動脈を判定する心疾患判定手段とを、含むことにある。
【００２１】
【第４発明の効果】
このようにすれば、心疾患判定手段により、前記振幅増加指数算出手段により算出された該生体の動脈波形の振幅増加指数と前記時間差決定手段により決定された時間差とに基づいて冠動脈疾患が正確に判定される。
【００２２】
【第４発明の他の態様】
ここで、好適には、前記振幅増加指数算出手段により算出された該生体の動脈波形の振幅増加指数と、前記時間差決定手段により決定された前記生体の動脈波形における第１ピークと第２ピークとの間の時間差とを同時に表示する表示制御手段を、さらに含むものである。このようにすれば、表示制御手段により、前記振幅増加指数算出手段により算出された該生体の動脈波形の振幅増加指数と、前記時間差決定手段により決定された前記生体の動脈波形における第１ピークと第２ピークとの間の時間差とが表示器において同時に表示されることから、それら振幅増加指数と時間差との両方に基づいて冠動脈疾患が正確に推定（診断）することも可能となる。
【００２３】
また、好適には、前記振幅増加指数を表す軸と前記時間差を表す軸とから成る二次元座標の表示領域を表示する表示器を備え、前記表示制御手段は、該表示器の二次元座標の表示領域内において、前記振幅増加指数算出手段により算出された該生体の動脈波形の振幅増加指数と前記時間差決定手段により決定された時間差とを示す場所を表示するものである。このようにすれば、二次元座標の表示領域内に表示された表示場所は、前記振幅増加指数算出手段により算出されたその生体の動脈波形の振幅増加指数と前記時間差決定手段により決定された前記生体の動脈波形における第１ピークと第２ピークとの間の時間差とを一挙に示すので、振幅増加指数と時間差との両方に基づいて冠動脈疾患が正確に推定（診断）することが容易に可能となる。
【００２４】
また、好適には、前記二次元座標の表示領域内には、冠動脈疾患を示唆する領域が予め設けられているものである。このようにすれば、二次元座標の表示領域内には冠動脈疾患を示唆する領域が予め設けられているので、その二次元座標の表示領域内に表示された表示場所をその領域と対比することにより、振幅増加指数と時間差との両方に基づいて冠動脈疾患が正確に推定（診断）することが一層容易に可能となる。
【００２５】
【発明の好適な実施の形態】
以下、本発明の一実施形態を図面に基づいて詳細に説明する。図１は、本発明が適用された心疾患検査装置８の回路構成を説明するブロック図である。
【００２６】
この圧脈波検出装置１０は、患者、被測定者などの生体の頸動脈に押圧されてその頸動脈内の圧脈波を非侵襲で検出するための頸動脈波検出装置として機能するものであり、図３にその構成を詳しく示す圧脈波検出プローブ１４を備えて、図２に示すように頸部１２に装着バンド１６により装着される。圧脈波検出プローブ１４は、図３に詳しく示すように、容器状を成すセンサハウジング１８と、そのセンサハウジング１８を収容するケース２０と、センサハウジング１８を頸動脈２２の幅方向に移動させるためにそのセンサハウジング１８に螺合され且つケース２０内に設けられた図示しないモータによって回転駆動されるねじ軸２４とを備えている。この圧脈波検出プローブ１４は、前記装着バンド１６により、センサハウジング１８の開口端が生体の頸部１２の体表面２６に対向する状態で取り付けられている。
【００２７】
上記センサハウジング１８の内部には、ダイヤフラム２８を介して圧脈波センサ３０が相対移動可能かつセンサハウジング１８の開口端からの突出し可能に設けられており、これらセンサハウジング１８およびダイヤフラム２８等によって圧力室３２が形成されている。この圧力室３２内には、図１に示すように、空気ポンプ３４から調圧弁３６を経て圧力空気が供給されるようになっており、これにより、圧脈波センサ３０は圧力室３２内の圧力（Ｐａ）に応じた押圧力で前記体表面２６に押圧される。
【００２８】
上記センサハウジング１８およびダイヤフラム２８は、圧脈波センサ３０を頸動脈２２に向かって押圧する押圧装置３８を構成しており、上記ねじ軸２４および図示しないモータは、圧脈波センサ３０が押圧される押圧位置をその頸動脈２２の幅方向に移動させる押圧位置変更装置すなわち幅方向移動装置４０を構成している。
【００２９】
上記圧脈波センサ３０に設けられた平坦な押圧面４２は、単結晶シリコン等によって形成された半導体チップから成る。その押圧面４２には、図４に示すように、たとえば１５個の圧力検出素子或いは感圧素子Ｅ（１），Ｅ（２），…Ｅ（１５）  が、頸動脈２２の幅方向すなわちねじ軸２４と平行な圧脈波センサ３０の移動方向において、その頸動脈２２の直径よりも長くなるように、且つ一定の間隔（たとえば０．６ｍｍ  程度）で配列されている。
【００３０】
このように構成された圧脈波検出プローブ１４が、頸部１２において体表面２６の頸動脈２２上に押圧されることにより、圧脈波センサ３０は、頸動脈２２から発生して体表面２６に伝達される圧力振動波すなわち圧脈波を検出し、その圧脈波を表す圧脈波信号ＳＭ０  をマルチプレクサ４３へ供給する。
【００３１】
マルチプレクサ４３は、後述する電子式演算制御装置５０からの切替信号ＳＣに従って、圧脈波センサ３０に備えられた１５個の感圧素子Ｅ  からそれぞれ出力される圧脈波信号ＳＭ０  を、所定の時間ずつ順次、バンドパスフィルタ４４およびローパスフィルタ４６へ供給する。
【００３２】
バンドパスフィルタ４４は、図示しないコンデンサおよびコイル或いは抵抗を備えたアナログ信号処理回路から構成され、圧脈波信号ＳＭ０  から、血流雑音の周波数帯域として設定された周波数帯域（たとえば２００  〜６００Ｈｚ  ）の信号（すなわち血流雑音成分）を弁別して、その血流雑音成分の信号ＳＭ１  をＡ／Ｄ  変換器４８を介して電子式演算制御装置５０へ供給する。なお、バンドパスフィルタ４４には、１５個の感圧素子Ｅ  からそれぞれ出力される圧脈波信号ＳＭ０  が順次供給されるので、バンドパスフィルタ４４からは、各感圧素子Ｅ  からそれぞれ出力される圧脈波信号ＳＭ０  に含まれる血流雑音成分の信号ＳＭ１  が、順次出力される。
【００３３】
ローパスフィルタ４６も、バンドパスフィルタ４４と同様に、図示しないコンデンサおよびコイル或いは抵抗を備えたアナログ信号処理回路から構成され、圧脈波信号ＳＭ０  に含まれる頸動脈波を表す信号（以下、頸動脈波信号という）ＳＭ２  を弁別してその頸動脈波信号ＳＭ２  をＡ／Ｄ  変換器５２を介して電子式演算制御装置５０へ供給する。頸動脈波は脈拍周期の信号であることから、ローパスフィルタ４６は圧脈波信号ＳＭ０  から、たとえば５０Ｈｚ以下の周波数成分を弁別するように構成されている。また、ローパスフィルタ４６には、１５個の感圧素子Ｅ  からそれぞれ出力される圧脈波信号ＳＭ０  が順次供給されるので、ローパスフィルタ４６からは、各感圧素子Ｅ  からそれぞれ出力される圧脈波信号ＳＭ０  に含まれる頸動脈波信号ＳＭ２  が、順次出力される。
【００３４】
電子式演算制御装置５０は、ＣＰＵ  ５４、ＲＯＭ  ５６、ＲＡＭ  ５８、および図示しないＩ／Ｏ  ポート等を備えた所謂マイクロコンピュータであり、ＣＰＵ  ５４は、ＲＯＭ  ５６に予め記憶されたプログラムに従ってＲＡＭ  ５８の記憶機能を利用しつつ信号処理を実行することにより、空気ポンプ３４および調圧弁３６へ図示しない駆動回路を介して駆動信号を出力して圧力室３２内の圧力を調節し、マルチプレクサ４３に脈拍周期よりも十分に短い周期に予め設定された周期で切替信号ＳＣを出力する。また、ＣＰＵ  ５４は、ローパスフィルタ４６から供給される頸動脈波信号ＳＭ２  およびバンドパスフィルタ４４から供給される血流雑音成分の信号ＳＭ１  を表示器６０に表示するとともに、その頸動脈波信号ＳＭ２  の波形を予め記憶された複数種類の基準波形を用いて前記生体から得られた動脈波形に対応する心疾患の段階Ｈを判定するとともに、その頸動脈波信号ＳＭ２  に含まれる進行波成分の振幅と反射波成分の振幅との間の振幅増加指数ＡＩ（ａｕｇｍｅｎｔａｔｉｏｎ  ｉｎｄｅｘ）を算出し、その心疾患の段階Ｈと振幅増加指数ＡＩとを、表示器６０の表示画面内に同時に表示し、且つ上記心疾患の段階Ｈと振幅増加指数ＡＩとに基づいて心疾患を判定する。また、上記頸動脈波信号ＳＭ２  に含まれる進行波成分に基づいて形成される第１ピークと反射波成分に基づいて形成される第２ピークとの間の時間差ＤＴを算出し、上記振幅増加指数ＡＩとその時間差ＤＴとを、表示器６０の表示画面内に同時に表示し、且つ上記振幅増加指数ＡＩとその時間差ＤＴとに基づいて心疾患を判定する。
【００３５】
図５は、電子式演算制御装置５０の制御機能の要部を説明する機能ブロック線図である。図５において、最適押圧位置制御手段７０は、圧脈波センサ３０の押圧位置を決定するため、まず、以下の押圧位置更新条件が成立するか否かを判断する。押圧位置更新条件は、押圧面４２に配列された感圧素子Ｅ  のうちの最大振幅を検出する感圧素子Ｅ  すなわち最大振幅検出素子Ｅｍが、配列の端を基準として、それから所定数または所定距離内側までに位置する感圧素子Ｅ  であることを条件とする。この押圧位置更新条件が成立した場合には、以下の押圧位置更新作動を実行する。すなわち、圧脈波センサ３０を体表面２６から一旦離隔させた後に、幅方向移動装置４０により押圧装置３８および圧脈波センサ３０を所定距離移動させ、続いて押圧装置３８により、圧脈波センサ３０を押圧される動脈（すなわち頸動脈２２）の最低脈圧よりも十分に小さい値に予め設定された第１押圧力ＨＤＰ１で押圧させる。そして、この押圧位置更新作動を実行した後、その状態で、再び前記押圧位置更新条件が成立するか否かを判断し、押圧位置更新条件が成立しなくなるまで、より好ましくは、最大振幅検出素子Ｅｍが配列位置の略中央に位置するまで上記の作動および判断を実行する。なお、上記押圧位置更新条件における配列の端からの所定数または所定距離は、圧脈波センサ３０により押圧される動脈（すなわち頸動脈２２）の直径に基づいて決定され、たとえば、その直径の１／４に設定される。
【００３６】
最適押圧位置制御手段７２は、圧脈波センサ３０の押圧力を変化させつつその圧脈波センサ３０の所定の感圧素子Ｅ  から得られた頸動脈波の振幅の変化が所定内となる領域内において最適押圧力を決定し、頸動脈２２の脈波測定中はその最適押圧力を維持させるように押圧装置３８を制御する。最適エレメント決定手段７４は、上記圧脈波センサ３０の各感圧素子Ｅ  からそれぞれ得られる頸動脈波の振幅のうち、最大振幅を示す感圧素子Ｅ  をアクティブエレメントＥ（ａ）として決定し、以後はそのアクティブエレメントＥ（ａ）により検出された頸動脈波を信号処理に用いるようにする。後述の表示制御手段８６は、頸動脈波表示手段としても機能するものであり、上記アクティブエレメントＥ（ａ）により検出され、ローパスフィルタ４６を通して供給される頸動脈波信号ＳＭ２  すなわち頸動脈波を、図６に示すように表示器６０の所定の表示位置に逐次表示させる。
【００３７】
基準波形記憶手段７８は、たとえば図７のＩ型、ＩＩ型、  ＩＩＩ型、ＩＶ型の頸動脈波に示すように冠動脈疾患の段階すなわち進行度合Ｈに対応する複数種類の基準波形を予め記憶する。Ｉ型、ＩＩ型、  ＩＩＩ型、ＩＶ型の頸動脈波は、予め実験的に求められたものである。冠動脈とは心臓を構成する筋肉に血液を供給する冠状の動脈であり、冠動脈疾患とは血管造影検査においてその冠状の動脈のたとえば５０％以上の狭窄状態が認められるものを言う。段階判定手段８０は、たとえば圧脈波センサ３０によって実際に得られた頸動脈波と上記予め記憶されたＩ型、ＩＩ型、  ＩＩＩ型、およびＩＶ型の頸動脈波の基準波形との間の相互相関係数を算出し、最も高い相関係数に対応する基準波形の類型に基づいて冠動脈疾患の程度Ｈを決定する。たとえば、ＩＶ型の基準波形との間で最も高い相関係数が得られる場合には、たとえば４（ＩＶ）度の冠動脈疾患と判定する。なお、上記段階判定手段８０は、上記各基準波形を利用して予め決定され且つ記憶された判定アルゴリズムを用いて、上記頸動脈波がいずれの類型に近いかを判定し、冠動脈疾患の程度Ｈを決定するものであってもよい。この場合には、上記基準波形記憶手段７８が不要となる。上記の判定アルゴリズムは、たとえば、上記各基準波形の特徴的形状の有無或いは類似度を判定するように決定される。
【００３８】
振幅増加指数算出手段８２は、上記圧脈波センサ３０によって実際に得られた頸動脈波の振幅増加指数ＡＩを算出する。振幅増加指数ＡＩとは、頸動脈波の脈圧（最大振幅）Ａに対するその頸動脈波に含まれる進行は成分に基づく第１ピークと反射波成分に基づく第２ピークとの差分ΔＡ（＝Ａ１  −Ａ２  ）の割合（％）である。図６に示す頸動脈波の場合は、Ａ１  ＜Ａ２  であるので、脈圧Ａ＝Ａ２  であるが、Ａ１  ＞Ａ２  の場合もある。特に上記第１ピークは完全なピークを示す訳ではなく肩状の波形であることから、第１ピーク時点ｔ１  および第２ピーク時点ｔ２  は、好適には上記頸動脈波の４次微分波形と基線の（零）クロス点を求めることによって決定される。時間差算出手段８４は、上記圧脈波センサ３０によって実際に得られた頸動脈波の第１ピーク時点ｔ１  と第２ピーク時点ｔ２  との間の時間差ＤＴ（＝ｔ２  −ｔ１  ）を算出する。
【００３９】
表示制御手段８６は、上記段階判定手段８０により判定された生体の動脈波形に対応する心疾患（冠動脈疾患）の段階Ｈと、上記振幅増加指数算出手段８２により算出された該生体の動脈波形の振幅増加指数ＡＩとを、表示器６０の表示画面において同時に表示する。たとえば、図８に示すように、表示器６０の表示画面に設けられた心疾患（冠動脈疾患）の段階Ｈを表す軸ＸＨ  と振幅増加指数ＡＩを表す軸ＹＡＩとから成る二次元直交座標の表示領域内において、段階判定手段８０により判定された生体の動脈波形に対応する心疾患（冠動脈疾患）の段階Ｈと振幅増加指数算出手段８２により算出された該生体の動脈波形の振幅増加指数ＡＩとを示す表示場所（表示点ｘ）が表示される。上記二次元直交座標には、冠動脈疾患の可能性が高いと示唆或いは判定するための判定領域Ｂが示されており、表示点ｘがその判定領域Ｂ内にあるか否かにしたがって冠動脈疾患の有無が判定される。図８において、振幅増加指数ＡＩが３０％以上である場合は基準波形の型分類により得られた冠動脈疾患の程度ＨがＩＩＩ  型相当以上において冠動脈疾患の可能性が判定されるが、振幅増加指数ＡＩが２０％以上である場合は基準波形の型分類により得られた冠動脈疾患の程度ＨがＩＶ型相当以上において冠動脈疾患の可能性が判定されるように、判定領域Ｂが設定されている。図８に示す表示点ｘは振幅増加指数ＡＩが２０％以上であるにも拘わらず冠動脈疾患の可能性が否定され得る。このため、単に、振幅増加指数ＡＩが２０％以上であるときや、冠動脈疾患の程度ＨがＩＩＩ  型相当以上であるときにおいて冠動脈疾患の可能性が判定されるとき場合に比較して、判定程度が高められるようになっている。
【００４０】
また、同時に、表示制御手段８６は、上記振幅増加指数算出手段８２により算出された生体の動脈波形の振幅増加指数ＡＩと前記時間差算出手段８４により算出された時間差ＤＴとを、表示器６０の表示画面において同時に表示する。たとえば、図９に示すように、表示器６０の表示画面に設けられた振幅増加指数ＡＩを表す軸ＸＡＩと時間差ＤＴを表す軸ＹＤＴとから成る二次元直交座標の表示領域内において、振幅増加指数算出手段８２により算出された生体の動脈波形の振幅増加指数ＡＩと時間差算出手段８４により算出された時間差ＤＴとを示す表示場所（表示点ｘ）が表示される。上記二次元直交座標には、冠動脈疾患の可能性が高いと示唆或いは判定するための判定領域Ｃが示されており、表示点ｘがその判定領域Ｃ内にあるか否かにしたがって冠動脈疾患の有無が判定される。図９において、振幅増加指数ＡＩが２０％以上である場合は冠動脈疾患の可能性が判定されが、位相差ＤＴが所定値ＤＴ１  以上である場合は、その冠動脈疾患の可能性が否定されるように、判定領域Ｃが設定されている。図９に示す表示点ｘは振幅増加指数ＡＩが２０％以上であるにも拘わらず冠動脈疾患の可能性が否定され得る。このため、単に、振幅増加指数ＡＩが２０％以上であるときに冠動脈疾患の可能性が判定される場合に比較して、判定程度が高められるようになっている。
【００４１】
心疾患判定手段８８は、たとえば図８に示す予め記憶された関係から、前記段階判定手段８０により判定された生体の動脈波形に対応する心疾患の段階Ｈと前記振幅増加指数算出手段８２により算出された生体の動脈波形の振幅増加指数ＡＩとに基づいて冠動脈疾患の可能性を判定し、判定結果を表示器６０に表示させる。すなわち、図８に示す表示点ｘがその判定領域Ｂ内にあるか否かにしたがって冠動脈疾患の有無を判定し、判定結果を表示器６０の表示画面において、図８および図９に示す表示と共に表示する。また、心疾患判定手段８８は、たとえば図９に示す予め記憶された関係から、前記振幅増加指数算出手段８２により算出された生体の動脈波形の振幅増加指数ＡＩと前記時間差算出手段８４により算出された時間差ＤＴとに基づいて冠動脈疾患の可能性を判定し、判定結果を表示器６０に表示させる。すなわち、図９に示す表示点ｘがその判定領域Ｃ内にあるか否かにしたがって冠動脈疾患の有無を判定し、判定結果を表示器６０の表示画面において、図８および図９に示す表示と共に表示する。表示器６０の表示画面において表示される頸動脈波形、心疾患の段階Ｈ、振幅増加指数ＡＩ、時間差ＤＴ、心疾患判定手段８８による判定は、生体から同時期或いは同時に得られた頸動脈波に基づくものである。
【００４２】
図１０は、図５の機能ブロック線図に示した電子式演算制御装置５０の制御作動をさらに具体的に説明するフローチャートである。図１０において、ステップ（以下、ステップを省略する）Ｓ１では、圧脈波センサ３０により１拍若しくは予め設定された所定数の頸動脈波の検出が完了したか否かが判断される。このＳ１の判断が否定される場合はＳ１の実行が繰り返されるが、肯定されると、前記振幅増加指数算出手段８２に対応するＳ２において、Ｓ１において読み込まれた圧脈波センサ３０からの頸動脈波に基づいて、その頸動脈波の脈圧（最大振幅）Ａに対するその頸動脈波に含まれる進行は成分に基づく第１ピークと反射波成分に基づく第２ピークとの差分ΔＡ（＝Ａ１  −Ａ２  ）の割合（％）である振幅増加指数ＡＩが算出される。次いで、前記時間差算出手段８４に対応するＳ３では、Ｓ１において読み込まれた圧脈波センサ３０からの頸動脈波に基づいて、その頸動脈波の第１ピークの発生時点ｔ１  と第２ピークの発生時点ｔ２  とがその頸動脈波の４次微分波形と基線の（零）クロス点を求めることによって決定されるとともに、その第１ピーク時点ｔ１  と第２ピーク時点ｔ２  との間の時間差ＤＴ（＝ｔ２  −ｔ１  ）が算出される。次に、前記段階判定手段８０に対応するＳ４において、たとえば図７に示すＩ型、ＩＩ型、  ＩＩＩ型、およびＩＶ型の４段階の予め記憶された基準波形と、Ｓ１において読み込まれた圧脈波センサ３０からの実際の頸動脈波とが比較され、実際の頸動脈波形と予め記憶されたＩ型、ＩＩ型、  ＩＩＩ型、およびＩＶ型の頸動脈波の基準波形との間の相互相関係数が最も高い基準波形の類型に基づいて冠動脈疾患の程度Ｈが決定される。そして、Ｓ５では、上記振幅増加指数ＡＩ、上記時間差ＤＴ、上記基準波形の類型に基づく冠動脈疾患の程度Ｈのすべての算出が完了したか否かが判定される。
【００４３】
上記Ｓ５の判断が否定されるうちは前記Ｓ１以下が繰り返し実行されるが、Ｓ５の判断が肯定されると、前記心疾患判定手段８８に対応するＳ６において、たとえば図８に示す予め記憶された関係から、Ｓ４において判定された生体の動脈波形に対応する心疾患の段階ＨとＳ２において算出された生体の動脈波形の振幅増加指数ＡＩとに基づいて冠動脈疾患の可能性が判定されるとともに、たとえば図９に示す予め記憶された関係から、Ｓ２において算出された生体の動脈波形の振幅増加指数ＡＩとＳ３において算出された時間差ＤＴとに基づいて冠動脈疾患の可能性が判定される。そして、前記表示制御手段８６に対応するＳ７においては、Ｓ１において読み込みが判定された頸動脈波が表示器６０の表示画面に表示される。また、Ｓ４において判定された生体の動脈波形に対応する心疾患の段階ＨとＳ２において算出された生体の動脈波形の振幅増加指数ＡＩとを示す表示点ｘが、表示器６０の表示画面にたとえば図８に示すように設けられた心疾患（冠動脈疾患）の段階Ｈを表す軸ＸＨ  と振幅増加指数ＡＩを表す軸ＹＡＩとから成る二次元直交座標の表示領域内において表示される。また、Ｓ２において算出された生体の動脈波形の振幅増加指数ＡＩとＳ３において算出された時間差ＤＴとを示す表示点ｘが、表示器６０の表示画面にたとえば図９に示すように設けられた振幅増加指数ＡＩを表す軸ＸＡＩと時間差ＤＴを表す軸ＹＤＴとから成る二次元直交座標の表示領域内において表示される。上記図８および図９に示すような二次元直交座標には、冠動脈疾患の可能性が高いと示唆或いは判定するための判定領域ＢおよびＣがそれぞれ示されており、表示点ｘがその判定領域Ｂおよび／またはＣ内にあるか否かにしたがって冠動脈疾患の有無の可能性が判定されるようになる。
【００４４】
上述のように、本実施例によれば、表示制御手段８６（Ｓ７）によって、段階判定手段８０（Ｓ４）により判定された生体の動脈波形に対応する心疾患の段階Ｈと、振幅増加指数算出手段８２（Ｓ２）により算出されたその生体の動脈波形の振幅増加指数ＡＩとが表示器６０において同時に表示される。すなわち心疾患の段階Ｈと振幅増加指数ＡＩとを示す表示点ｘが表示される。このため、それら心疾患の段階Ｈと振幅増加指数ＡＩとの両方に基づいて冠動脈疾患が正確に推定（診断）することが可能となる。
【００４５】
また、本実施例によれば、図８に示すような心疾患の段階Ｈを表す軸ＸＨ  と振幅増加指数ＡＩを表す軸ＹＡＩとから成る二次元座標の表示領域を表示する表示器６０を備え、表示制御手段８６（Ｓ７）は、その表示器６０の二次元座標の表示領域内において、心疾患の段階Ｈと振幅増加指数ＡＩとを示す表示点ｘが表示されることによって、心疾患の段階Ｈと振幅増加指数ＡＩとが一挙に示されるので、心疾患の段階Ｈと振幅増加指数ＡＩとの両方に基づいて生体の冠動脈疾患が正確に推定（診断）されることが容易に可能となる。
【００４６】
また、本実施例によれば、図８に示すような心疾患の段階Ｈを表す軸ＸＨ  と振幅増加指数ＡＩを表す軸ＹＡＩとから成る二次元座標には、冠動脈疾患を示唆する領域Ｂが予め設けられているので、その二次元座標の表示領域内に表示された表示場所すなわち表示点ｘをその領域Ｂと対比することにより、心疾患の段階Ｈと振幅増加指数ＡＩとの両方に基づいて冠動脈疾患が正確に推定（診断）することが一層容易に可能となる。
【００４７】
また、本実施例によれば、表示制御手段８６（Ｓ７）によって、振幅増加指数算出手段８２（Ｓ２）により算出されたその生体の動脈波形の振幅増加指数ＡＩと、時間差算出手段８４（Ｓ３）により算出された生体の動脈波形の第１ピークの発生時点ｔ１  と第２ピークの発生時点ｔ２  との時間差ＤＴとが表示器６０において同時に表示される。すなわち振幅増加指数ＡＩと時間差ＤＴとを示す表示点ｘが表示される。このため、それら心疾患の段階Ｈと振幅増加指数ＡＩとの両方に基づいて冠動脈疾患が正確に推定（診断）することが可能となる。
【００４８】
また、本実施例によれば、図９に示すような振幅増加指数ＡＩを表す軸ＸＡＩと生体の動脈波形の第１ピークの発生時点ｔ１  と第２ピークの発生時点ｔ２  との時間差ＤＴを表す軸ＹＤＴとから成る二次元座標の表示領域を表示する表示器６０を備え、表示制御手段８６（Ｓ７）は、その表示器６０の二次元座標の表示領域内において、振幅増加指数ＡＩと時間差ＤＴとを示す表示点ｘが表示されることによって、振幅増加指数ＡＩと時間差ＤＴとが一挙に示されるので、振幅増加指数ＡＩと時間差ＤＴとの両方に基づいて生体の冠動脈疾患が正確に推定（診断）されることが容易に可能となる。
【００４９】
また、本実施例によれば、図９に示すような振幅増加指数ＡＩを表す軸ＸＡＩと生体の動脈波形の第１ピークの発生時点ｔ１  と第２ピークの発生時点ｔ２  との時間差ＤＴを表す軸ＹＤＴとから成る二次元座標には、冠動脈疾患を示唆する領域Ｃが予め設けられているので、その二次元座標の表示領域内に表示された表示場所すなわち表示点ｘをその領域Ｃと対比することにより、心疾患の段階Ｈと振幅増加指数ＡＩとの両方に基づいて冠動脈疾患が正確に推定（診断）することが一層容易に可能となる。
【００５０】
また、本実施例によれば、心疾患判定手段８８（Ｓ６）により、たとえば図８に示す予め記憶された関係から、Ｓ４において判定された生体の動脈波形に対応する心疾患の段階ＨとＳ２において算出された生体の動脈波形の振幅増加指数ＡＩとに基づいて冠動脈疾患の可能性が自動的に判定され、その判定結果が正確に且つ表示器６０の二次元座標の表示領域内または外において表示されるので、検査作業者はその冠動脈疾患の可能性を容易に認識できる。
【００５１】
また、本実施例によれば、心疾患判定手段８８（Ｓ６）により、たとえば図９に示す予め記憶された関係から、Ｓ２において算出された生体の動脈波形の振幅増加指数ＡＩとＳ３において算出された時間差ＤＴとに基づいて冠動脈疾患の可能性が正確に且つ自動的に判定され、その判定結果が表示器６０の二次元座標の表示領域内または外において表示されるので、検査作業者はその冠動脈疾患の可能性を容易に認識できる。
【００５２】
以上、本発明の一実施例を図面に基づいて説明したが、本発明は他の態様においても適用される。
【００５３】
例えば、前述の実施例において、複数種類の基準波形から決定する心疾患の段階Ｈ、振幅増加指数ＡＩ、時間差ＤＴを求める動脈波として、心臓或いは大動脈に最も近い頸動脈波が用いられていたが、上腕動脈、撓骨動脈などの他の部位から採取される動脈波が用いられてもよい。この場合には、圧脈波センサ３０が上腕動脈、撓骨動脈などに押圧される。
【００５４】
また、前述の実施例において、心疾患の段階Ｈ、振幅増加指数ＡＩ、時間差ＤＴを求める頸動脈波は、１拍の頸動脈波から求められてもよいし、予め設定された時間区間内或いは予め設定された拍数の頸動脈波からその平均値などを利用して求められてもよい。
【００５５】
また、前述の圧脈波検出装置１０は、半導体チップに埋設された半導体感圧素子Ｅ  を押圧面４２に有する圧脈波センサ３０により圧脈波を検出する形式であったが、たとえば、上下の電極間にシリコンダイアヤフラムを挟み込んだ半導体容量式圧力センサにより圧脈波を検出する形式の脈波センサなど、他の形式のセンサであってもよい。また、生体の所定部位に装着されるカフ（空気袋）およびそのカフ内の圧力を検出する圧力センサによって圧脈波を検出する形式でもよい。
【００５６】
また、前述の圧脈波検出装置１０では、バンドパスフィルタ４４およびローパスフィルタ４６はコンデンサ等を含む回路であったが、ＲＯＭ  ５６に所定のプログラムが予め記憶された演算制御装置５０が信号処理によってバンドパスフィルタ或いはローパスフィルタとして機能してもよい。すなわち、バンドパスフィルタおよびローパスフィルタはデジタルフィルタであってもよい。
【００５７】
また、前述の圧脈波検出装置１０では、表示制御手段８６によって、表示器６０の二次元座標の表示領域内において心疾患の段階Ｈと振幅増加指数ＡＩとを示す表示点ｘが表示されることによって、心疾患の段階Ｈと振幅増加指数ＡＩとが一挙に示されるものであったが、互いに平行な一対の棒グラフにおいて、心疾患の段階Ｈと振幅増加指数ＡＩ、振幅増加指数ＡＩと時間差ＤＴがそれぞれ表示されてもよいし、心疾患の段階Ｈと振幅増加指数ＡＩを示す数値或いは振幅増加指数ＡＩと時間差ＤＴを示す数値が、それぞれ同時に視認可能に表示されるようにしてもよい。
【００５８】
以上、本発明の実施例を図面に基づいて詳細に説明したが、これはあくまでも一実施形態であり、本発明は当業者の知識に基づいて種々の変更、改良を加えた態様で実施することができる。
【図面の簡単な説明】
【図１】本発明の一実施例の心疾患検査装置の回路構成を示すブロック図である。
【図２】図１の圧脈波検出プローブが頸部に装着された状態を示す図である。
【図３】図１の圧脈波検出プローブを一部切り欠いて示す図である。
【図４】図１の圧脈波センサの押圧面に配列された感圧素子の配列状態を示す図である。
【図５】図１の心疾患検査装置における電子式演算制御装置の制御機能の要部を説明する機能ブロック線図である。
【図６】図１の圧脈波センサにより検出され且つ図５の表示制御手段８６により表示器に表示される頸動脈波の一例を示す図である。
【図７】図５の基準波形記憶手段において記憶されている複数種類の基準波形を示す図であって、Ｉ型、ＩＩ型、  ＩＩＩ型、ＩＶ型の基準波形は冠動脈疾患の段階すなわち進行度合に対応して示されている。
【図８】図５の表示制御手段８６により、冠動脈疾患の段階Ｈと生体の動脈波形の振幅増加指数ＡＩとを示す表示点ｘが、冠動脈疾患の段階Ｈを表す軸ＸＨ  と振幅増加指数ＡＩを表す軸ＹＡＩとから成る二次元直交座標の表示領域内において表示された状態を示す図である。
【図９】図５の表示制御手段８６により、生体の動脈波形に対応する心疾患の段階Ｈと生体の動脈波形の振幅増加指数ＡＩとを示す表示点ｘが、冠動脈疾患の段階Ｈを表す軸ＸＨ  と振幅増加指数ＡＩを表す軸ＹＡＩとから成る二次元直交座標の表示領域内において表示された状態を示す図である。
【図１０】図５の電子式演算制御装置の制御作動の要部をフローチャートである。
【符号の説明】
８：心疾患検査装置
１０：圧脈波検出装置
３０：圧脈波センサ
５０：電子式演算制御装置
６０：表示器（出力装置）
８０：段階判定手段
８２：振幅増加指数算出手段
８４：時間差算出手段
８６：表示制御手段
８８：心疾患判定手段
【図１】
2004313274.tif 000003
【図２】
2004313274.tif 000004
【図３】
2004313274.tif 000005
【図４】
2004313274.tif 000006
【図５】
2004313274.tif 000007
【図６】
2004313274.tif 000008
【図７】
2004313274.tif 000009
【図８】
2004313274.tif 000010
【図９】
2004313274.tif 000011
【図１０】
2004313274.tif 000012